(57)【要約】      （修正有）【課題】入浴者の足などが足受け部に当たらず、安全で容易に入浴者を入浴用担架に乗り降りさせることができる入浴用担架を提供することにある。【解決手段】入浴者が横臥したまま浴槽に入湯可能な入浴用担架において、入浴者が載上される身体載上部と、身体載上部の踵載上位置付近に起立して設けられた足受け部３０とを備え、足受け部が、身体載上部の裏面側に移動可能に設けられ、足受け部が、身体載上部との近接辺を軸３４として回動し、身体載上部の裏面側に移動することを特徴とする。【選択図】図５
2010240338.tif 000002
【特許請求の範囲】
【請求項１】
入浴者が横臥したまま浴槽に入湯可能な入浴用担架において、
該入浴者が載上される身体載上部と、
該身体載上部の踵載上位置付近に起立して設けられた足受け部とを備え、
該足受け部が、該身体載上部の裏面側に移動可能に設けられていることを特徴とする入浴用担架。
【請求項２】
前記足受け部が、前記身体載上部との近接辺を軸として回動し、該身体載上部の裏面側に移動することを特徴とする請求項１記載の入浴用担架。
【請求項３】
ストレッチャーに載置された状態で該ストレッチャー上を摺動する摺動機構と、
前記足受け部が前記身体載上部の裏面側に移動した状態で該摺動機構による摺動を制限する制止手段とを備えることを特徴とする請求項１又は請求項２記載の入浴用担架。
【請求項４】
前記制止手段が、前記足受け部の移動に伴って傾動する係止片を有し、
該足受け部が前記身体載上部の裏面側に移動した状態で、該係止片が該ストレッチャーのレールに係合されることを特徴とする請求項３記載の入浴用担架。
【発明の詳細な説明】
【技術分野】
【０００１】
本発明は、入浴者が横臥したまま浴槽に入湯可能な入浴用担架に関する。
【背景技術】
【０００２】
従来より、身体的にハンディがあり自力で入浴できない人のために、ストレッチャー上に設けられた入浴用担架に乗ったまま入浴用担架ごと入浴可能な入浴装置がある。従来の入浴装置に用いられる入浴用担架としては、例えば、特許文献１に示すようなものがある。
【０００３】
特許文献１の入浴用担架は、入浴者が横臥する載置部として上体載置部と臀部載置部と上腿載置部と下腿載置部とから構成されている。また、下腿載置部には、足受けが下腿載置部面に添って移動可能に設けられ、足受けを持ち上げると移動自在の状態になり放すと移動不自在の状態になる。
【先行技術文献】
【特許文献】
【０００４】
【特許文献１】特開２００１−９５８８４号公報
【発明の概要】
【発明が解決しようとする課題】
【０００５】
しかしながら、従来の入浴用担架では、たとえ足受けを下腿載置部面に添って移動させたとしても、足受けが下腿載置部面から突出しており、入浴者を入浴用担架に乗り降りさせるときにどうしても入浴者の足などが足受けに当たってしまい、安全で容易な移乗が困難である。
【０００６】
本発明は、このような事情に鑑みてなされたもので、入浴者の足などが足受け部に当たらず、安全で容易に入浴者を入浴用担架に乗り降りさせることができる入浴用担架を提供することにある。
【課題を解決するための手段】
【０００７】
請求項１記載の入浴用担架は、入浴者が載上される身体載上部と、身体載上部の踵載上位置付近に起立して設けられた足受け部とを備え、足受け部が、身体載上部の裏面側に移動可能に設けられていることを特徴とする。
【０００８】
請求項２記載の入浴用担架は、足受け部が、身体載上部との近接辺を軸として回動し、身体載上部の裏面側に移動することを特徴とする。
【０００９】
請求項３記載の入浴用担架は、ストレッチャーに載置された状態でストレッチャー上を摺動する摺動機構と、足受け部が身体載上部の裏面側に移動した状態で摺動機構による摺動を制限する制止手段とを備えることを特徴とする。
【００１０】
請求項４記載の入浴用担架は、制止手段が、足受け部の移動に伴って傾動する係止片を有し、足受け部が身体載上部の裏面側に移動した状態で、係止片がストレッチャーのレールに係合されることを特徴とする。
【発明の効果】
【００１１】
請求項１の発明によれば、足受け部を身体載上部の裏面側に移動させることにより、入浴者を入浴用担架に乗り降りさせるとき、入浴者の足などが足受け部に当たらず、安全で容易に入浴者を入浴用担架に乗り降りさせることができる。
【００１２】
請求項２の発明によれば、足受け部が、身体載上部との近接辺を軸として回動させることで、容易な構造で足受け部を身体載上部の裏面側に移動させることができる。
【００１３】
請求項３及び請求項４の発明によれば、足受け部が身体載上部の裏面側に移動した状態で摺動機構による摺動を制限する制止手段を備えることで、入浴者を入浴用担架に乗り降りさせるときに不用意に入浴用担架が摺動することを防止でき、安全の確保が容易である。
【図面の簡単な説明】
【００１４】
【図１】本発明に係る入浴装置の一例を示す上面図である。
【図２】同入浴装置の入浴用担架とストレッチャーの正面図である。
【図３】同入浴装置の入浴用担架とストレッチャーの構造を示す説明図である。
【図４】同入浴装置の入浴用担架の動作を示す説明図である。
【図５】同入浴装置の入浴用担架の動作を示す説明図である。
【発明を実施するための形態】
【００１５】
以下、本発明の形態について図面を参照しながら具体的に説明する。本発明の形態における入浴用担架は、入浴者が横臥したまま浴槽に入湯可能な担架である。図１は、本発明に係る入浴装置の一例を示す上面図である。図２は、同入浴装置の入浴用担架とストレッチャーの正面図である。図３は、同入浴装置の入浴用担架とストレッチャーの構造を示す説明図である。図４は、同入浴装置の入浴用担架の動作を示す説明図である。図５は、同入浴装置の入浴用担架の動作を示す説明図である。
【００１６】
図において、入浴装置１は、浴槽４及び入浴用担架２０を備えるストレッチャー１０とで構成されている。浴槽４は、後述する入浴用担架２０を授受する担架受台８を備え、担架受台８の長手方向の両脇には入浴用担架２０を授受及び移送するための２本のレール６が互いに平行して設けられている。また、ストレッチャー１０は、台車１４ａが四方に設けられた基台１４と、基台１４の上方に突出する支柱１６と、支柱１６の上面に設けられたフレーム１８等から構成され、フレーム１８の上に、入浴用担架２０が保持されている。フレーム１８の上面には、ストレッチャー１０の長手方向に直角に、互いに平行する２本のレール１２が設けられている。そして、入浴用担架２０は、このレール１２に摺動自在に保持されている。尚、支柱１６をジャッキ上に稼働することで、入浴用担架２０を昇降可能である。尚、浴槽４のレール６とストレッチャー１０のレール１２は、同じ巾で、同じ高さに位置するように駆動可能となっている。
【００１７】
浴槽４の外側の長手方向面の下部には、左右に２ヶ所、案内連結部６２が設けられている。また、ストレッチャー１０の基台１４の長手方向面には、左右に２ヶ所、連結装置６０が設けられている。案内連結部６２と連結装置６０との位置は、浴槽４の長手方向面にストレッチャー１０を横付けした状態で、それぞれが相対する位置で、相対した状態で浴槽４とストレッチャー１０のレール６とレール１２とが一直線上に連接する位置である。
【００１８】
入浴用担架２０は、枠状のフレーム２８の上に、入浴者が横臥するクッション性を有する板状の背部２２、腰部２４，脚部２６が略水平に貼着され、枕部２２ａを有する背部２２、腰部２４及び脚部２６で身体載上部が形成されている。フレーム２８は、レール受け部２８ａ、フレーム２８ｂ，２８ｃ等で枠状に形成されている。レール受け部２８ａは、下方に開口した断面視コ字状の棒材で、内側に回動自在な車輪２９が複数並列に設けられ、この車輪２９がストレッチャー１０のレール１２上を走行可能になっている。
【００１９】
脚部２６の入浴者の踵が乗る踵載上位置付近には、クッション性を有する板状の足受け部３０が起立するように設けられている。この足受け部３０は、入浴者が入浴用担架２０に横臥した状態で、足裏を受けるものである。足受け部３０は、Ｌ字状のアングルの下端部分に蝶番３４を有する回動板３２に保持され、蝶番３４を介して脚部２６の裏面のフレーム２８ｂに回動自在に支持されている。そして、蝶番３４の回動に合わせて足受け部３０が回動し、足受け部３０が脚部２６の裏面側に配置される（図５の状態）。また、回動板３２の下面には、蝶番３４の軸に平行にハンドルステー３６ａで保持されたハンドル３６が設けられている。さらに、ハンドルステー３６ａとフレーム２８ｃとの間にロック機構３８が架け渡された状態で設けられ（図３にのみ記載）、ロック機構３８のロックが解除されないと足受け部３０が回動しない構造となっている。
【００２０】
入浴用担架２０の蝶番３４が固定されているフレーム２８ｂの下部には、棒状の伝動軸４２の一端４２ａ付近が軸方向に遊動可能に保持されている。また、伝動軸４２はレール受け部２８ａ付近まで伸び、伝動軸４２の他端がフレーム２８ｃに傾動自在に軸支された係止片４０の上端に連結されている。伝動軸４２は、フレーム２８ｂとの間に架け渡されたスプリング４４により、フレーム２８ｂ方向に付勢されている。係止片４０の下端は、伝動軸４２の一端４２ａが解放された状態では、レール１２方向に突出し、レール１２に設けられた係止溝１２ａに係止される。尚、足受け部３０が上方に回動した状態（図４の位置）で、蝶番３４の蝶番プレート３４ａの面が伝動軸４２の一端４２ａに当接する。
【００２１】
次に、本実施例の入浴用担架２０の操作を説明する。まず、操作者は、図３に示すロック機構３８を操作し、足受け部３０を回動させ、図５に示すように足受け部３０を、脚部２６の裏面側に移動させる。そして、入浴用担架２０の背部２２，腰部２４及び脚部２６の上に、入浴者を載上させる。足受け部３０が、脚部２６の裏面側に位置している状態では、伝動軸４２の一端４２ａが解放されてスプリング４４の付勢力で足受け部３０側に突出し、伝動軸４２に接続された係止片４０の下端が、レール１２の係止溝１２ａに係合して、入浴用担架２０は、ストレッチャー１０上を摺動せず制止された状態である。
【００２２】
入浴者が入浴用担架２０に横臥した状態で、操作者は、足受け部３０を上方に回動させ、足受け部３０を脚部２６から上に起立する位置に移動させる（図３）。この時、ロック機構３８により、足受け部３０は回動しないようにロックされる。また、足受け部３０が脚部２６から起立した状態になると、蝶番３４の蝶番プレート３４ａが、伝動軸４２の一端４２ａに当接し、伝動軸４２がスプリング４４の付勢力に抗して、係止片４０方向に押し出される。すると、係止片４０の上端が伝動軸４２により傾動され、図４に示すように、係止片４０の下端がレール１２の係止溝１２ａからはずれる。これにより、入浴用担架２０は、ストレッチャー１０のレール１２上を摺動可能となる。
【００２３】
入浴に際しては、操作者は、入浴用担架２０に入浴者を横たわらせた状態で、ストレッチャー１０を、浴槽４に横付けするように移動させる。この時、ストレッチャー１０のレール１２の高さと、浴槽４の担架受台８のレール６の高さとを、同じ高さにしておく。そして、ストレッチャー１０をゆっくりと浴槽４の長手方向面に近づけていく。そして、ストレッチャー１０の連結装置６０と浴槽４の案内連結部６２とにより、ストレッチャー１０を浴槽４に連結させる。
【００２４】
ストレッチャー１０が浴槽４に連結されると、浴槽４の担架受台８のレール６と、ストレッチャー１０のレール１２とが一直線状となり、ストレッチャー１０の入浴用担架２０をレール１２に沿って浴槽４側に摺動させると、入浴用担架２０が担架受台８のレール６に受け渡され、入浴用担架２０が担架受台８の上に移送される。そして、入浴用担架２０が担架受台８に完全に乗った状態で、入浴者が浴槽４内で入浴できるようになる。
【００２５】
そして、入浴を終えた後、担架受台８の入浴用担架２０をレール６に沿ってストレッチャー１０側に摺動させると、入浴用担架２０がストレッチャー１０のレール１２に受け渡され、入浴用担架２０がストレッチャー１０の上に移送される。入浴用担架２０がストレッチャー１０の上に移送された状態で、ストレッチャー１０を浴槽４から分離することとなる。そして、入浴者を入浴用担架２０から降ろす場合には、入浴用担架２０のロック機構３８を操作してロックを解除し、足受け部３０を脚部２６の裏面側に回動させる。足受け部３０が回動すると、伝動軸４２の一端４２ａが解放されてスプリング４４の付勢力で足受け部３０側に突出し、伝動軸４２に接続された係止片４０の下端がレール１２の係止溝１２ａに係合して、入浴用担架２０はストレッチャー１０上を摺動せず制止された状態になる。
【００２６】
以上のような本実施例の入浴用担架２０によれば、足受け部３０を身体載上部である脚部２６の裏面側に移動させることにより、入浴者を入浴用担架２０に乗り降りさせるとき、入浴者の足などが足受け部３０に当たらず、安全で容易に入浴者を入浴用担架２０に乗り降りさせることができる。
【００２７】
また、足受け部３０が、身体載上部である脚部２６との近接辺を軸として回動板３２及び蝶番３４を用いて回動させることで、容易な構造で足受け部３０を脚部２６の裏面側に移動させることができる。
【００２８】
さらに、足受け部３０が身体載上部である脚部２６の裏面側に移動した状態で、ストレッチャー１０のレール１２上を走行する車輪２９等からなる摺動機構による摺動を制限する伝動軸４２や係止片４０等からなる制止手段を備えることで、入浴者を入浴用担架２０に乗り降りさせるときに不用意に入浴用担架２０がストレッチャー１０上で摺動することを防止でき、安全の確保が容易である。
【産業上の利用可能性】
【００２９】
以上のように、入浴者の足などが足受け部に当たらず、安全で容易に入浴者を入浴用担架に乗り降りさせることができる入浴用担架を提供することができる。
【符号の説明】
【００３０】
１・・・・・入浴装置
４・・・・・浴槽
６・・・・・レール
８・・・・・担架受台
１０・・・・ストレッチャー
１２・・・・レール
１２ａ・・・係止溝
１４・・・・基台
１４ａ・・・台車
１６・・・・支柱
１８・・・・フレーム
２０・・・・入浴用担架
２２・・・・背部
２２ａ・・・枕部
２４・・・・腰部
２６・・・・脚部
２８・・・・フレーム
２８ａ・・・レール受け部
２８ｂ・・・フレーム
２８ｃ・・・フレーム
２９・・・・車輪
３０・・・・足受け部
３２・・・・回動板
３４・・・・蝶番
３４ａ・・・蝶番プレート
３６・・・・ハンドル
３６ａ・・・ハンドルステー
３８・・・・ロック機構
４０・・・・係止片
４２・・・・伝動軸
４２ａ・・・一端
４４・・・・スプリング
６０・・・・連結装置
６２・・・・案内連結部
【図１】
2010240338.tif 000003
【図２】
2010240338.tif 000004
【図３】
2010240338.tif 000005
【図４】
2010240338.tif 000006
【図５】
2010240338.tif 000007